(57)【要約】【課題】  上側部材に軒樋の底部の上面に当たる鍔部等を別途形成することなく、上側部材を軒樋に確実に保持することができ、且つ排水量を十分に確保できる軒樋用ドレンの取付け構造を提供する。【解決手段】  上側部材８は、底面部１０と、底面部１０の幅方向の両側から立上げた立上げ片１１ａ、１１ｂと、底面部１０から下方に向けて突設した同底面部１０と略同じ幅を有する連結筒部１３を有する。下側部材９は排水筒７に連通接続する排水筒接続部１７と接続筒部１８を有する。上側部材８の底面部１０を軒樋２の底部３の上面に当接する。両立上げ片１１ａ、１１ｂを軒樋２の両側壁部４ａ、４ｂの内面に沿わせる。上側部材８の連結筒部１３を軒樋２の底部３に設けた開口部６を通して軒樋２の下方に突出する。連結筒部１３に下側部材９の接続筒部１８を連結する。【選択図】        図１
2007092341.tif 000002
【特許請求の範囲】
【請求項１】
軒樋と排水筒を連通接続する軒樋用ドレンを上側部材と下側部材とで構成し、上側部材は、底面部と、該底面部の幅方向の両側から立上げた立上げ片と、底面部から下方に向けて突設した同底面部と略同じ幅を有する連結筒部を有し、下側部材は一端に排水筒に連通接続する排水筒接続部を有すると共に他端に接続筒部を有し、底部の両側から立上げた側壁部間の距離が下側に行く程小さくなった軒樋を備え、上側部材の底面部を軒樋の底部の上面に当接すると共に両立上げ片を軒樋の両側壁部の内面に沿わせて上側部材を軒樋の内側に嵌め込むと共に、該上側部材の連結筒部を軒樋の底部に設けた開口部を通して軒樋の下方に突出し、該連結筒部に下側部材の接続筒部を連結したことを特徴とする軒樋用ドレンの取付け構造。
【請求項２】
上側部材の外面の軒樋の長手方向において連結筒部の両外側に位置する部分に該上側部材の建物側の立上げ片から底面部を介して屋外側の立上げ片に至る接着剤塗布用溝を形成し、軒樋内に嵌め込んだ上側部材の接着剤塗布用溝に接着剤を充填して該接着剤により上側部材の底面部の外面及び両立上げ片の外面を軒樋の内面に接着すると共に上側部材の外面と軒樋の内面の間を封止したことを特徴とする請求項１に記載の軒樋用ドレンの取付け構造。
【請求項３】
上記上側部材の連結筒部が軒樋の長手方向に長い長方形角筒状であることを特徴とする請求項１又は請求項２に記載の軒樋用ドレンの取付け構造。
【発明の詳細な説明】
【技術分野】
【０００１】
本発明は軒樋と排水筒を接続する軒樋用ドレンの取付け構造に関する。
【背景技術】
【０００２】
従来から軒樋と竪樋のような排水筒を連通接続する軒樋用ドレンが広く利用されている。一般的な軒樋用ドレンは例えば特許文献１に示すように、上端全周にわたって鍔部を形成した円筒状の上側部材と、上端全周に亘って鍔部を形成した円筒状の下側部材とで構成され、上側部材の円筒状部分を軒樋の底面部に形成した開口部に上方から通すと共に上側部材の鍔部を軒樋の底部の上面に当てた状態で、軒樋の下方に突出した上側部材の外面に形成した雄ねじ部に下側部材の内面に形成した雌ねじ部を螺合することで軒樋に取付けられ、これにより軒樋用ドレンは上側部材の鍔部と下側部材の鍔部で軒樋の底面部を挟持した状態で軒樋に取付けられる。
【０００３】
しかし上記特許文献１に示すような軒樋用ドレンの上側部材は上端全周に亘って形成した鍔部を軒樋の底部の上面に当てる必要があるため、鍔部の分だけ上側部材の円筒状部分の面積が小さくなり、これにより軒樋から排水筒に排水される水の量が少なくなってしまう。特に例えば軒樋の両側壁部間の距離を下側に行く程小さくする等した底部の幅が非常に小さい軒樋にあっては、上側部材の円筒状部分の面積が非常に小さくなり、スムーズに排水できなかったり、詰まりが生じたりする恐れがある。
【特許文献１】特開平７−３１７２４５号公報
【発明の開示】
【発明が解決しようとする課題】
【０００４】
本発明は上記従来の問題点に鑑みて発明したものであって、底部の幅が非常に小さい軒樋であっても、上側部材に軒樋の底部の上面に当たる鍔部等を別途形成することなく、上側部材を軒樋に確実に保持することができ、且つ排水量を十分に確保できる軒樋用ドレンの取付け構造を提供することを課題とする。
【課題を解決するための手段】
【０００５】
上記課題を解決するために本発明に係る軒樋用ドレンの取付け構造は、軒樋２と排水筒７を連通接続する軒樋用ドレン１を上側部材８と下側部材９とで構成し、上側部材８は、底面部１０と、該底面部１０の幅方向の両側から立上げた立上げ片１１ａ、１１ｂと、底面部１０から下方に向けて突設した同底面部１０と略同じ幅を有する連結筒部１３を有し、下側部材９は一端に排水筒７に連通接続する排水筒接続部１７を有すると共に他端に接続筒部１８を有し、底部３の両側から立上げた側壁部４ａ、４ｂ間の距離が下側に行く程小さくなった軒樋２を備え、上側部材８の底面部１０を軒樋２の底部３の上面に当接すると共に両立上げ片１１ａ、１１ｂを軒樋２の両側壁部４ａ、４ｂの内面に沿わせて上側部材８を軒樋２の内側に嵌め込むと共に、該上側部材８の連結筒部１３を軒樋２の底部３に設けた開口部６を通して軒樋２の下方に突出し、該連結筒部１３に下側部材９の接続筒部１８を連結したことを特徴とするものである。
【０００６】
上側部材８の底面部１０を軒樋２の底部３の上面に当接すると共に両立上げ片１１ａ、１１ｂを軒樋２の両側壁部４ａ、４ｂの内面に沿わせて上側部材８を軒樋２の内側に嵌め込むことで、上側部材８を軒樋２に確実に保持することができ、しかも軒樋２の開口部６の開口面積や連結筒部１３の断面積を軒樋２の底部３の幅いっぱいにまで大きくして連結筒部１３からの排水量を十分に確保でき、特に底部３の幅が非常に小さい軒樋２にあっては、スムーズに排水できなかったり、詰まりが生じたりするといった事態が生じることを防止できて良い。
【０００７】
また上側部材８の外面の軒樋２の長手方向において連結筒部１３の両外側に位置する部分に該上側部材８の建物側の立上げ片１１ａから底面部１０を介して屋外側の立上げ片１１ｂに至る接着剤塗布用溝１６を形成し、軒樋２内に嵌め込んだ上側部材８の接着剤塗布用溝１６に接着剤を充填して該接着剤により上側部材８の底面部１０の外面及び両立上げ片１１ａ、１１ｂの外面を軒樋２の内面に接着すると共に上側部材８の外面と軒樋２の内面の間を封止することも好ましい。この場合、接着剤により上側部材８の外面と軒樋２の内面の間を軒樋２の周方向の略全周に亘って封止することができ、これにより非常に幅の狭い底部３を有する軒樋２であったとしても、軒樋２内の水が上側部材８の外面と軒樋２の内面の間を介して開口部６と連結筒部１３の間から外部に漏れ出すことを確実に防止でき、水密性を高めることができる。
【０００８】
また上記上側部材８の連結筒部１３が軒樋２の長手方向に長い長方形角筒状であることも好ましい。この場合、幅の狭い底部３を有する軒樋２であっても排水量を一層多くできる。
【発明の効果】
【０００９】
本発明では、底部の幅が非常に小さい軒樋であっても、上側部材に軒樋の底部の上面に当たる鍔部等を別途形成することなく上側部材を軒樋に確実に保持することができ、且つ排水量を十分に確保できる
【発明を実施するための最良の形態】
【００１０】
以下、本発明を添付図面に示す実施形態に基いて説明する。図１は本実施形態の軒樋用ドレン１の取付け構造を示すものであり、（ａ）は正面図、（ｂ）は側面図である。
【００１１】
軒樋２は金属や合成樹脂の押出成形品からなり、図１の破線で示すように水平な底部３と、底部３の幅方向（平面視で軒樋２の長手方向に直交する方向）の両端から立上げた側壁部４ａ、４ｂとで構成されている。軒樋２の建物側の側壁部４ａは底部３に対して垂直に立上げており、これに対して屋外側（建物と反対側）の側壁部４ｂは下側に行く程両側壁部４ａ、４ｂ間の距離が小さくなるよう建物側に向けて傾斜している。軒樋２の両側壁部４ａ、４ｂの上端部には内方に向けて耳部５ａ、５ｂを突設している。また軒樋用ドレン１が取付けられる部位である底部３の軒樋２の長手方向における一部には開口部６を形成している。開口部６は軒樋２の長手方向に長い長方形状で、軒樋２の底部３の幅方向の略全長に亘って形成されている。
【００１２】
上記軒樋２を竪樋からなる排水筒７に接続するための軒樋用ドレン１は上側部材８と別体の下側部材９とで構成してある。
【００１３】
図２に示すように上側部材８は軒樋２の底部３に対応する底面部１０及び軒樋２の両側壁部４ａ、４ｂに対応する両立上げ片１１ａ、１１ｂを有しており、全体として軒樋２の内面に合致する外面形状を有している。つまり上側部材８は軒樋２の底部３の幅と略同じ（詳しくは若干小さい）幅を有する水平な底面部１０を有し、建物側の立上げ片１１ａは底面部１０から垂直に立上げており、また屋外側の立上げ片１１ｂは両立上げ片１１ａ、１１ｂ間の距離が下側に行く程小さくなるように軒樋２の側壁部４ｂと平行に傾斜している。
【００１４】
上側部材８の立上げ片１１ａの上端部は軒樋２の耳部５ａに係合可能な建物側係合部１２ａとなっている。また上側部材８の立上げ片１１ｂの上端部は建物側に向けて突曲してあって、これにより立上げ片１１ｂの上端部には軒樋２の側壁部４ｂに設けた耳部５ｂに係合可能な屋外側係合部１２ｂが形成されている。
【００１５】
また上側部材８の底面部１０には下方に向けて連結筒部１３を一体に突設している。連結筒部１３は軒樋２の長手方向に長い長方形の角筒状であり、該連結筒部１３の上端は底面部１０の軒樋２の長手方向における中央部分において開口している。連結筒部１３の幅は底面部１０の幅と略同じ（詳しくは若干小さい）寸法であり、その上端開口は図２（ｂ）に示すように上側部材８の底面部１０の幅方向（平面視で軒樋２の長手方向に直交する方向）の略全長に亘って形成されている。
【００１６】
長方形角筒状の連結筒部１３の短辺と平行な両側壁の上端部は外方に向けて突出しており、これにより連結筒部１３の上端部に軒樋２の開口部６に嵌め込み可能な嵌め込み部１４を形成している。なお嵌め込み部１４の幅はこれよりも下方の連結筒部１３の幅と同じである。また連結筒部１３の短辺と平行な両側壁の外面には係止部１５を夫々設けている。各係止部１５は連結筒部１３の側壁の下端部の中央部から外方に向けて突出しており、各係止部１５の両側に係止部１５の上方に至る部分まで伸びる切欠を形成することで弾性変形可能となっている。
【００１７】
また上側部材８の外面の軒樋２の長手方向における両端部には上側部材８の周方向に伸びる接着剤塗布用溝１６を形成している。各接着剤塗布用溝１６は上側部材８の建物側の立上げ片１１ａから底面部１０を介して屋外側の立上げ片１１ｂにまで至っており、屋外側係合部１２ｂを除いて上側部材８の周方向の略全長に亘って形成されている。また各接着剤塗布用溝１６は軒樋２の長手方向において連結筒部１３よりも外側に位置する部分に形成してあり、両接着剤塗布用溝１６の間に連結筒部１３が位置している。
【００１８】
一方、図３に示す下側部材９は下端に排水筒７に連通接続する排水筒接続部１７を有すると共に上端に接続筒部１８を有している。図示例の下側部材９は円筒状の排水筒７に接続されるものであって、排水筒接続部１７は円筒状をしており、該排水筒接続部１７を排水筒７の上端部の内側に被嵌することで排水筒７に連通接続できるようになっている。また排水筒接続部１７と接続筒部１８を平面視で異なる位置に設けてあり、このため下側部材９は排水筒接続部１７と接続筒部１８を連通接続する連結部１９により全体で鉤状に屈曲している。
【００１９】
下側部材９の上方に突出した接続筒部１８は平面視で軒樋２の長手方向に長い長方形で且つ上側部材８の連結筒部１３よりも若干大きな角筒状に形成してあり、該接続筒部１８を上側部材８の連結筒部１３内に嵌め込んで被嵌できるようになっている。接続筒部１８の短辺と平行な両側壁の夫々の中央には上側部材８の係止部１５を係止可能な矩形の孔からなる被係止部２０を設けている。
【００２０】
上記軒樋用ドレン１を軒樋２に取付ける場合は、例えばまず上側部材８の各接着剤塗布用溝１６の全長に接着剤を塗布充填する（なお図１では接着剤の図示を省略している）。次いで上側部材８の底面部１０及び両立上げ片１１ａ、１１ｂの外面の夫々を軒樋２の底部３及び両側壁部４ａ、４ｂの内面に沿わせて合致することで上側部材８を軒樋２に嵌め込むと共に、上側部材８の建物側係合部１２ａ及び屋外側係合部１２ｂを軒樋２の各耳部５ａ、５ｂに係合し、同時に上側部材８の各接着剤塗布用溝１６に充填した接着剤により上側部材８の底面部１０の外面及び両立上げ片１１ａ、１１ｂの外面を軒樋２の内面に接着すると共に上側部材８の外面と軒樋２の内面の間を周方向の略全長に亘って封止し、また同時に上側部材８の連結筒部１３の嵌め込み部１４を軒樋２の開口部６に嵌め込んだ状態で、連結筒部１３を開口部６を通して軒樋２の下方に突出する。そしてこのように軒樋２の内側に嵌め込まれて保持された上側部材８の軒樋２の底部３から下方に突出した連結筒部１３内に下側部材９の接続筒部１８を嵌め込むと共に、該接続筒部１８の被係止部２０に連結筒部１３の係止部１５を係止することで、上側部材８の連結筒部１３を下側部材９の接続筒部１８に接続し、しかして上側部材８及び下側部材９からなる軒樋用ドレン１が軒樋２に取付けられる。なおこの取付け状態にあっては図１に示すように接続筒部１８の上端が嵌め込み部１４の下面に当接するものであっても良いし、また接続筒部１８の上端と嵌め込み部１４の下面との間に若干の隙間を形成してあっても良い。
【００２１】
そしてこのように軒樋用ドレン１を軒樋２に取付けることで、軒樋２内の水を上側部材８の連結筒部１３、下側部材９の接続筒部１８、連結部１９、排水筒接続部１７を介して排水筒７に排水可能となる。
【００２２】
ここで本発明にあっては、上記のように上側部材８の外面を底部３の両側から立上げた側壁部４ａ、４ｂ間の距離が下側に行く程小さくなる軒樋２の内面にぴったりと沿わせて嵌め込んであるので、従来の上側部材８のように軒樋２の底部３の上面に当たる鍔部を形成することなく、上側部材８を確実に軒樋２に保持することができ、接着剤の硬化前に上側部材８が移動したりせず、また接着剤の硬化後においても強固に上側部材を軒樋２に取付けることができる。しかも軒樋２の開口部６の開口面積や連結筒部１３の断面積を軒樋２の底部３の幅いっぱいにまで大きくできて、連結筒部１３からの排水量を十分に確保でき、特に底部３の幅が非常に小さい軒樋２にあっては、スムーズに排水できなかったり、詰まりが生じたりするといった事態が生じることを防止できて良い。
【００２３】
また本例では上側部材８の建物側係合部１２ａ及び屋外側係合部１２ｂを軒樋２の耳部５ａ、５ｂに係合して、軒樋２の内側に嵌め込んだ状態で確実に保持されるので、一層強固に上側部材８を軒樋２に保持することができ、また特に上側部材８の連結筒部１３に下側部材９の接続筒部１８を接続する際には上側部材８を手で保持する必要がなく、これにより下側部材９を片手で持って接続筒部１８を連結筒部１３で被嵌すると共に係止部１５を被係止部２０に係止するだけでワンタッチで簡単に連結筒部１３を接続筒部１８に接続できる。
【００２４】
また上側部材８の軒樋２の長手方向において連結筒部１３よりも外側に位置する部分に上側部材８の建物側の立上げ片１１ａから底面部１０を介して屋外側の立上げ片１１ｂに至る接着剤塗布用溝１６を形成し、軒樋２内に嵌め込んだ上側部材８の接着剤塗布用溝１６に接着剤を充填して該接着剤により上側部材８の底面部１０の外面及び両立上げ片１１の外面を軒樋２の内面に接着すると共に上側部材８の外面と軒樋２の内面の間を封止したことで、該接着剤により上側部材８の外面と軒樋２の内面の間を軒樋２の周方向の略全周に亘って封止でき、これにより軒樋２内の水が上側部材８の外面と軒樋２の内面の間を介して開口部６と連結筒部１３の間から外部に漏れ出すことを確実に防止でき、水密性を高めることができる。
【００２５】
さらに上側部材８の連結筒部１３は軒樋２の長手方向に長い長方形角筒状であるので、排水量を一層多くできる。
【図面の簡単な説明】
【００２６】
【図１】本発明の実施の形態の一例を示すものであり、（ａ）は側面図、（ｂ）は正面図である。
【図２】同上の上側部材を示すものであり、（ａ）は側面図、（ｂ）は正面図、（ｃ）は底面図である。
【図３】同上の下側部材を示すものであり、（ａ）は側面図、（ｂ）は正面図、（ｃ）は平面図である。
【符号の説明】
【００２７】
１  軒樋用ドレン
２  軒樋
３  底部
４ａ  建物側の側壁部
４ｂ  屋外側の側壁部
６  開口部
７  排水筒
８  上側部材
９  下側部材
１０  底面部
１１ａ  建物側の立上げ片
１１ｂ  屋外側の立上げ片
１３  連結筒部
１７  排水筒接続部
１８  接続筒部
【図１】
2007092341.tif 000003
【図２】
2007092341.tif 000004
【図３】
2007092341.tif 000005